(57)【要約】      （修正有）【課題】塩素系化合物の検出精度や検出感度を向上させた塩素系化合物検出方法を提供する。【解決手段】空気中に含まれる塩素系化合物を検出対象とする塩素系化合物検出方法およびそれを用いた塩素系化合物インジケータおよび塩素系化合物検出キットであって、前記塩素系化合物検出方法は、捕集用水２を、塩素系化合物を含む空気に暴露し、前記捕集用水２に添加した捕集剤３によって塩素系化合物を捕集し、前記捕集用水２に添加したｐＨ緩衝剤４によって前記捕集用水２のｐＨを前記捕集剤３と塩素系化合物との反応に適したｐＨに調整することを特徴とする塩素系化合物検出方法およびそれを用いた塩素系化合物インジケータおよび塩素系化合物検出キット。【選択図】図１
2018054395.tif 000002
【特許請求の範囲】
【請求項１】
空気中に含まれる塩素系化合物を検出対象とする塩素系化合物検出方法であって、
前記塩素系化合物検出方法は、
捕集用水を、空気に暴露し、
前記捕集用水に添加した捕集剤によって空気中の塩素系化合物を捕集し、
前記捕集用水に添加したｐＨ緩衝剤によって前記捕集用水のｐＨを前記捕集剤と塩素系化合物との反応に適したｐＨに調整することを特徴とする塩素系化合物検出方法。
【請求項２】
前記捕集剤が１級アミノ基を有する化合物、アンモニア、及びアンモニウム塩のいずれかであることを特徴とする請求項１に記載の塩素系化合物検出方法。
【請求項３】
前記１級アミノ基を有する化合物がスルファミン酸、及びスルファミン酸塩のいずれかであることを特徴とする請求項２記載の塩素系化合物検出方法。
【請求項４】
前記ｐＨ緩衝剤がＨＥＰＥＳ及びトリスヒドロキシメチルアミノメタンのいずれかであることを特徴とする請求項１から３のいずれか一項に記載の塩素系化合物検出方法。
【請求項５】
空気中に含まれる塩素系化合物を検出対象とする塩素系化合物インジケータであって、前記塩素系化合物インジケータは、
基材と、前記基材の一部に表示部を備え、
前記表示部に、捕集剤と、捕集用水と、ｐＨ緩衝剤を担持することを特徴とする塩素系化合物インジケータ。
【請求項６】
前記捕集用水の代替として多価アルコールを用いた請求項５に記載の塩素系化合物インジケータ。
【請求項７】
前記多価アルコールがグリセリンであることを特徴とする請求項６に記載の塩素系化合物インジケータ。
【請求項８】
前記基材に、呈色用水を封入した密閉容器を備え、
前記密閉容器は、空気中に含まれる塩素系化合物を検出する際に開封可能であることを特徴とする請求項５から７のいずれか一項に記載の塩素系化合物インジケータ。
【請求項９】
空気中に含まれる塩素系化合物を検出対象とする塩素系化合物検出キットであって、
前記塩素系化合物検出キットは、
塩素系化合物インジケータと呈色反応液を備え、
前記塩素系化合物インジケータは、
基材と、前記基材の一部に表示部を備え、
前記表示部に、捕集剤と、捕集用水と、ｐＨ緩衝剤を担持し、
前記表示部に担持された前記捕集剤は空気中に含まれる塩素系化合物を結合塩素として前記表示部に保持し、
前記呈色反応液は、
呈色試薬と脱酸素剤を含有し、
前記呈色反応液を、前記表示部に加えることにより、
前記塩素系化合物インジケータの前記表示部に保持された結合塩素を呈色することを特徴とする塩素系化合物検出キット。
【発明の詳細な説明】
【技術分野】
【０００１】
本発明は、空気中の塩素系化合物を検出する方法およびそれを用いた塩素系化合物インジケータおよび塩素系化合物検出キットに関するものである。
【背景技術】
【０００２】
空気中に含まれる塩素分子や塩素系化合物を検出する場合、分析対象の試料ガスを、吸収瓶に保持された吸収液に通気することで分析対象を吸収し、吸収液中の塩素分子や塩素系化合物の濃度をガスクロマトグラフなどの分析装置で分析していた。
【先行技術文献】
【特許文献】
【０００３】
【特許文献１】特開平１０−８２７７６号公報
【発明の概要】
【発明が解決しようとする課題】
【０００４】
分析対象の試料ガスを吸収液に通気して、吸収液中の塩素分子や塩素系化合物を測定する際に、塩素系化合物の捕集効率が変動し、塩素系化合物の検出精度や検出感度が低いと言う課題があった。
【０００５】
そこで、本発明は上記課題を解決するものであり、捕集用水のｐＨを捕集剤と塩素系化合物との反応に適したｐＨに調整することで塩素系化合物の検出精度や検出感度を向上させることを特徴とする塩素系化合物検出方法を提供することを目的としている。
【課題を解決するための手段】
【０００６】
そして、この目的を達成するために本発明は、空気中に含まれる塩素系化合物を検出対象とする塩素系化合物検出方法であって、前記塩素系化合物検出方法は、捕集用水を、空気に暴露し、前記捕集用水に添加した捕集剤によって空気中の塩素系化合物を捕集し、前記捕集用水に添加したｐＨ緩衝剤によって前記捕集用水のｐＨを前記捕集剤と塩素系化合物との反応に適したｐＨに調整することを特徴とする塩素系化合物検出方法である。そして、これら手段により、所期の目的を達成するものである。
【発明の効果】
【０００７】
以上のように本発明は、前記捕集用水に添加したｐＨ緩衝剤によって前記捕集用水のｐＨを前記捕集剤と塩素系化合物との反応に適したｐＨに調整することで、空気中に含まれる塩素系化合物を精度・感度ともに高い性能で検出できるという効果を得ることができる。
【図面の簡単な説明】
【０００８】
【図１】本発明の実施の形態１の塩素系化合物検出方法に用いる器具の概略図
【図２】本発明の実施の形態２の塩素系化合物インジケータの概略図
【図３】本発明の実施の形態３の塩素系化合物インジケータの概略図
【図４】本発明の実施の形態４の塩素系化合物検出キットの概略図
【発明を実施するための形態】
【０００９】
本発明の請求項１記載の塩素系化合物検出方法は、空気中に含まれる塩素系化合物を検出対象とする塩素系化合物検出方法であって、前記塩素系化合物検出方法は、捕集用水を、空気に暴露し、前記捕集用水に添加した捕集剤によって空気中の塩素系化合物を捕集し、前記捕集用水に添加したｐＨ緩衝剤によって前記捕集用水のｐＨを前記捕集剤と塩素系化合物との反応に適したｐＨに調整することを特徴とする。
【００１０】
ｐＨ緩衝剤により、前記捕集用水のｐＨを最適な値に保つことで前記捕集剤と空気中の塩素系化合物とが最も効率的に反応し、塩素系化合物を効率的に捕集できるという効果を得ることができる。これにより、捕集用水中に溶け込んだ塩素系化合物の空気中への再放出を減らすことができ、より正確にその濃度を測定することが可能になるという効果を得ることができる。
【００１１】
また、空気中の塩素系化合物の存在に対して、高感度かつ高精度な色調の変化が得られ、検出精度を向上させるという効果を奏する。
【００１２】
また、請求項２記載の塩素系化合物検出方法は、前記捕集剤が１級アミノ基を有する化合物、アンモニア、及びアンモニウム塩のいずれかであることを特徴とする。
【００１３】
これにより、空気中の塩素系化合物は結合塩素として安定なクロラミン化合物となり、塩素系化合物インジケータ上において結合塩素として持続的に保持されるので、塩素系化合物の検出精度を向上させるという効果を奏する。
また、請求項３記載の塩素系化合物検出方法は、前記１級アミノ基を有する化合物がスルファミン酸、及びスルファミン酸塩のいずれかであることを特徴とする。
【００１４】
これにより、空気中の塩素系化合物は結合塩素として安定なクロラミン化合物となり、塩素系化合物インジケータ上において結合塩素として持続的に保持されるので、塩素系化合物の検出精度を向上させるという効果を奏する。
【００１５】
また、請求項４記載の塩素系化合物検出方法は、前記ｐＨ緩衝剤がＨＥＰＥＳ（４−（２−ｈｙｄｒｏｘｙｅｔｈｙｌ)−１−ｐｉｐｅｒａｚｉｎｅｅｔｈａｎｅｓｕｌｆｏｎｉｃ  ａｃｉｄ  以降、ＨＥＰＳと記す）およびトリスヒドロキシメチルアミノメタンのいずれかであることを特徴とする。
【００１６】
これにより、ＨＥＰＥＳ及びトリスヒドロキシメチルアミノメタンが塩素系化合物と反応し結合塩素を形成するため、ｐＨ緩衝剤が捕集剤を兼ねることとなり、ｐＨ緩衝剤と捕集剤を１種類の化合物で賄う事が可能となるという効果を奏する。
また、請求項５記載の塩素系化合物インジケータは、空気中に含まれる塩素系化合物を検出対象とする塩素系化合物インジケータであって、前記塩素系化合物インジケータは、基材と、前記基材の一部に表示部を備え、前記表示部に、捕集剤と、捕集用水と、ｐＨ緩衝剤を担持することを特徴とする。
【００１７】
これにより、簡易な構成であることから、吸収瓶内の吸収液への通気作業や、ガスクロマトグラフなどの分析装置を稼働させるためのガス配管系などの付帯設備を必要とせず、塩素系化合物の存在を確かめたい場所において塩素系化合物を塩素系化合物インジケータ内に保持するので、空気中に含まれる塩素系化合物の存在をその場で検出できるという効果を得ることができる。
【００１８】
また、請求項６記載の塩素系化合物インジケータは、前記捕集用水の代替として多価アルコールを用いることを特徴とする。
【００１９】
これにより、多価アルコールが空気中の水分を適度に保持するため、基材を捕集用水で浸潤させる必要が無くなり、保存性、使用性が高まるという効果を奏する。
【００２０】
加えて、インジケータに保湿効果が加わることで、空気中の塩素系化合物の反応性が向上し、検出精度を向上させるという効果を奏する。
【００２１】
また、請求項７記載の塩素系化合物インジケータは、前記多価アルコールがグリセリンであることを特徴とする。
【００２２】
これにより、グリセリンが空気中の水分を適度に保持するため、基材を捕集用水で浸潤させる必要が無くなり、保存性、使用性が高まるという効果を奏する。
【００２３】
加えて、インジケータに保湿効果が加わることで、空気中の塩素系化合物の反応性が向上し、検出精度を向上させるという効果を奏する。
【００２４】
また、請求項８記載の塩素系化合物インジケータは、前記基材に、呈色用水を封入した密閉容器を備え、前記密閉容器は、空気中に含まれる塩素系化合物を検出する際に開封可能であることを特徴とする。
【００２５】
これにより、塩素系化合物インジケータの呈色の際に、水道水のような塩素系化合物を含有する水しか用意できない環境においても、呈色用水が付属していることで確実に適切な呈色用水を用いて呈色を行うことができるという効果を奏する。
【００２６】
また、請求項９記載の塩素系化合物キットは、空気中に含まれる塩素系化合物を検出対象とする塩素系化合物検出キットであって、前記塩素系化合物検出キットは、塩素系化合物インジケータと呈色反応液を備え、前記塩素系化合物インジケータは、基材と、前記基材の一部に表示部を備え、前記表示部に、捕集剤と、捕集用水と、ｐＨ緩衝剤を担持し、前記表示部に担持された前記捕集剤は空気中に含まれる塩素系化合物を結合塩素として前記表示部に保持し、前記呈色反応液は、呈色試薬と脱酸素剤を含有し、前記呈色反応液を、前記表示部に加えることにより、前記塩素系化合物インジケータの前記表示部に保持された結合塩素を呈色することを特徴とする。
【００２７】
これにより、脱酸素剤が呈色試薬の自己酸化反応を抑制するため、呈色後の塩素系化合物以外の要素による色調の変化を抑制する効果を奏する。
【００２８】
以下、本発明の実施の形態について図面を参照しながら説明する。
【００２９】
（実施の形態１）
図１には、請求項１から４記載の本実施の形態の塩素系化合物検出方法に用いる塩素系化合物検出用容器１の概略図を示す
本実施の形態の塩素系化合物検出方法は、塩素系化合物検出用容器１に捕集用水２を貯水し、捕集用水２中には捕集剤３及びｐＨ緩衝剤４を含有している。
【００３０】
塩素系化合物検出用容器１は上部が開放された容器であり、内部に捕集用水２を貯水するとともに、非使用時には蓋１ａで閉じられている。また、使用時には蓋１ａを矢印方向に取り外すことで捕集用水２の水面を空気に暴露することができる容器である。
【００３１】
捕集用水２としては塩素および塩素系化合物を含まない水を使用することが望ましく、塩素系化合物の濃度が低い蒸留水、イオン交換水、超純水を用いることができる。
【００３２】
捕集剤３は１級アミノ基を有する化合物、アンモニア、及びアンモニウム塩のいずれかを用いることができる。
【００３３】
ｐＨ緩衝剤４はりん酸塩、ＨＥＰＥＳ、トリスヒドロキシメチルアミノメタン等が使用される。
【００３４】
以上の構成において、本実施の形態の塩素系化合物検出方法により空気中の塩素系化合物を検出する原理を説明する。
【００３５】
空気中に存在する塩素系化合物は、例えば塩素、次亜塩素酸などが挙げられ、空気中に存在する塩素系化合物が捕集用水２に溶け込み、その塩素系化合物が捕集剤３の１級アミノ基を有する化合物、アンモニア、及びアンモニウム塩のいずれかと反応することで結合塩素として捕集用水２内に保持される。
【００３６】
捕集用水２内において、捕集剤３である１級アミノ基を有する化合物としてのスルファミン酸と、空気中の塩素系化合物としての次亜塩素酸が反応して、結合塩素としてのモノクロロスルファミン酸が生成される反応を式１に示す。
【００３７】
Ｈ３ＮＳＯ３＋ＨＣｌＯ→Ｈ２ＮＳＯ３Ｃｌ＋Ｈ２Ｏ    ・・・式１
後述する呈色試薬を用いて、捕集用水２内で捕集剤３により保持された結合塩素を呈色させることで塩素系化合物の検出ができる。
【００３８】
また、捕集用水２内にｐＨ緩衝剤４を有することにより、捕集用水２内のｐＨが一定となり、空気中の塩素系化合物と捕集剤３との反応性が高まる。これにより捕集用水２に溶け込んだ塩素系化合物が捕集剤３との反応により結合塩素を形成する以前に空気中に再放出されることを抑制している。
【００３９】
なお、ｐＨ緩衝剤としてＨＥＰＥＳ乃至トリスヒドロキシメチルアミノメタンを用いる場合は、これらが捕集剤としての役割も果たすため、捕集剤としてＨＥＰＥＳ乃至トリスヒドロキシメチルアミノメタン以外の１級アミノ基を有する化合物、アンモニア、及びアンモニウム塩のいずれかを減じた構成としてもよい。
【００４０】
次に、本実施の形態の塩素系化合物検出方法を用いて空気中の塩素系化合物を測定する手順を説明する。
【００４１】
捕集剤３及びｐＨ緩衝剤４を含む捕集用水２を貯水した塩素系化合物検出用容器１を用意し、塩素系化合物の存在の有無を確認したい場所に置き、捕集用水２を空気に曝露させる。
【００４２】
一定時間空気に曝露させた後、塩素系化合物検出用容器１を回収し、図示しない呈色試薬を捕集用水２に滴下する。捕集用水２において一定時間呈色試薬を反応させた後、捕集用水２の呈色の有無を判定する。塩素系化合物と反応して赤色に発色する呈色試薬を用いる場合には、捕集用水２が赤色に呈色すれば空気中に塩素系化合物が含まれていたことがわかる。
【００４３】
上記のように本実施の形態は、簡易な構成の塩素系化合物検出方法であり、塩素系化合物の検出を確かめたい場所に塩素系化合物検出方法を設置し、一定時間後に呈色試薬を捕集用水に滴下するだけで、空気中の塩素系化合物の存在を検出できるので、その場で塩素系化合物を検出できるという効果を得ることができる。
【００４４】
また、ガスクロマトグラフなどの分析装置を用いる方法とは異なり、塩素系化合物の存在を確かめたい場所で塩素系化合物を吸収液に吸収させ、吸収液を分析室に運んだ後に分析装置により吸収液中の塩素系化合物の濃度を分析するなどの工程が不要であり、迅速に結果を得ることができる。
【００４５】
捕集用水２にｐＨ緩衝剤４としてりん酸塩、ＨＥＰＥＳ及びトリスヒドロキシメチルアミノメタンのいずれかを使用しない場合は、捕集用水２を空気に曝露させる際に、捕集用水２のｐＨが１〜８の範囲で変動し、塩素系化合物と捕集剤の反応性（反応効率）が最大の反応効率に対して１００％〜０％の範囲で変動することになる。
【００４６】
一方、本実施の形態では、捕集用水２にｐＨ緩衝剤４としてりん酸塩、ＨＥＰＥＳ及びトリスヒドロキシメチルアミノメタンのいずれかを使用する。その結果、捕集用水２を空気に曝露させる際に、捕集用水２のｐＨの変動範囲は８〜１０に抑制される、塩素系化合物と捕集剤の反応性（反応効率）は最大の反応効率に対して１００％〜８０％の範囲での変動に抑制されることになる。
【００４７】
このように、捕集用水２にｐＨ緩衝剤４としてりん酸塩、ＨＥＰＥＳ及びトリスヒドロキシメチルアミノメタンのいずれかを使用することで、捕集用水２に溶け込んだ塩素系化合物のうち、捕集剤３と結合せずに空気中へ再放出する塩素系化合物を減らすことができるので、従来の方法に比べて正確に塩素系化合物の濃度を測定することが可能になる。
【００４８】
本実施の形態で、ｐＨ緩衝剤４としてりん酸塩を用いた場合の平衡反応を式２から４に示す。
【００４９】
Ｈ３ＰＯ４⇔Ｈ２ＰＯ４−＋Ｈ＋    ・・・式２
Ｈ２ＰＯ４−⇔ＨＰＯ４２−＋Ｈ＋    ・・・式３
ＨＰＯ４２−⇔ＰＯ４３−＋Ｈ＋    ・・・式４
また、本実施の形態では、塩素系化合物を結合塩素として保持し、結合塩素に特異的に反応する呈色試薬により呈色させるので、結合塩素を形成する塩素系化合物を検出することができる。
【００５０】
本実施の形態において、捕集剤３は、１級アミノ基を有する化合物、アンモニア、及びアンモニウム塩のいずれかであるが、なかでもスルファミン酸、乃至スルファミン酸塩が望ましい。スルファミン酸、乃至スルファミン酸塩は他の物質に比べて、塩素系化合物と結合して結合塩素となる際に安定であるためである。
【００５１】
また、呈色試薬は結合塩素の酸化力によって反応し呈色するものが好ましい。これにより、結合塩素以外の化合物が捕集用水２に保持されていたとしても反応することがなく、結合塩素を特異的に検出できるためである。
【００５２】
また、呈色試薬は、オルトトリジン（ＯＴ）、Ｎ、Ｎ-ジエチルパラフェニレンジアミン（ＤＰＤ）、Ｎ、Ｎ‘-ビス（２、４-ジスルホベンジル）トリジン（ＳＢＴ）などが挙げられ、呈色試薬中にはヨウ化カリウムを含むことが望ましい。
【００５３】
これら呈色試薬は呈色反応の直前に調整され、捕集用水２と接触されることが望ましい。
【００５４】
また、本実施の形態の塩素系化合物検出方法の検出対象としての塩素系化合物は、塩素、次亜塩素酸と例示したが、それに限定されるものでなく、亜塩素酸、塩素酸、過塩素酸、一酸化二塩素などでもよく、１級アミノ基を有する化合物、アンモニア、及びアンモニウム塩のいずれかと結合塩素を形成する塩素系化合物であれば塩素系化合物として同様に検出することができる。
【００５５】
なお、本実施の形態では、ｐＨ緩衝剤４として、りん酸塩、ＨＥＰＥＳ、トリスヒドロキシメチルアミノメタンのいずれかを用いるとしたが、それに限定されるものではなく、捕集用水２のｐＨの変動を抑制し、その結果、塩素系化合物と捕集剤の反応性（反応効率）を向上する作用を有する薬剤であれば同様の効果を得ることができる。
【００５６】
なお、本実施の形態では、塩素系化合物検出用容器１に捕集用水２を貯水し、捕集用水２の水面を空気に暴露する方法としたが、空気中に含まれるガス成分を検出する従来の方法である、吸収瓶に保持された吸収液に通気することで塩素系化合物を吸収させる方法において、従来の吸収液の代わりに本実施の形態の捕集用水を用いてもよく、塩素系化合物と捕集剤の反応性（反応効率）の変動を抑制し、測定精度を向上させることが可能になるという効果を得ることができる。
【００５７】
（実施の形態２）
図２には、請求項５から７記載の塩素系化合物インジケータ５の概略図を示す。
【００５８】
本実施の形態の塩素系化合物インジケータ５は、四角形状であり平板状の基材７の一部に表示部６を備えている。
【００５９】
基材７を構成する素材としては、セルロース等の紙や木質素材、絹・毛・綿・麻等の天然素材、ポリオレフィン、ポリエステル、アクリル、ナイロン、ビニロン、レーヨン、ポリノジック、キュプラ、アセテート、トリアセテート、プロミックス等の合成樹脂素材や、セラミックスなどの無機素材を用いることができる。特に合成樹脂素材としては、ポリ酢酸ビニル、ポリビニルアルコールスポンジ、ナイロンマイクロファイバー、ポリオレフィン系樹脂（ポリエチレン樹脂、ポリプロピレン樹脂等）、ＰＥＴ（ポリエチレン・テレフタラート樹脂）、ポリアミド系樹脂、塩化ビニル樹脂、フッ素系樹脂（ＰＴＦＥ、ＰＦＡ、ＥＴＦＥ等）等が使用される。
【００６０】
また、基材７は上記素材のいずれかまたは複数の上記素材の組合せにより構成され、その構造は内部に空隙を有するフィルタ状、または内部に空隙を有しない板状であってもよく、基材７の一部に表示部６を形成できればよい。
【００６１】
表示部６は、基材７の一部に捕集用水２、捕集剤３及びｐＨ緩衝剤４を担持することで形成されている。
【００６２】
ここで表示部６が担持する捕集用水２、捕集剤３及びｐＨ緩衝剤４は実施の形態１で前述したものと同様の構成からなるものとするが、捕集用水２については多価アルコールによってこれを代替することが可能であり、これを用いることが望ましい。
【００６３】
実施の形態１で前述したように、捕集用水２にｐＨ緩衝剤４としてりん酸塩、ＨＥＰＥＳ及びトリスヒドロキシメチルアミノメタンのいずれかを使用しない場合は、捕集用水２を空気に曝露させる際に、捕集用水２のｐＨが１〜８の範囲で変動し、塩素系化合物と捕集剤の反応性（反応効率）が最大の反応効率に対して１００％〜０％の範囲で変動することになる。
【００６４】
本実施の形態では、捕集用水２にｐＨ緩衝剤４としてりん酸塩、ＨＥＰＥＳ及びトリスヒドロキシメチルアミノメタンのいずれかを使用する。その結果、基材７を空気に曝露させる際に、捕集用水２のｐＨの変動範囲は８〜１０に抑制される、塩素系化合物と捕集剤の反応性（反応効率）は最大の反応効率に対して１００％〜８０％の範囲での変動に抑制されることになる。
【００６５】
本実施の形態においては、多価アルコールにはグリセリンを用いるが、グリセリンに限定するものでは無くジグリセリン、ポリグリセリン、キシリトール、ソルビトール、プロピレングリコール、ポリエチレングリコール等の多価アルコールを使用してもよい。
【００６６】
これにより、多価アルコールが空気中の水分を保持することで捕集用水の役割を果たし、かつ基材を過度に浸潤させることがなくなり、基材の湿潤に伴う剛性の低下が抑制され、基材のハンドリングがよくなるという効果を得ることができる。
【００６７】
なお、本実施の形態では、基材７は長方形の板状の部材として図示したが、基材７は塩素系化合物インジケータとしての形状を維持する機能を有し、空気中の塩素系化合物との反応や、呈色試薬との反応において変形することがなく、塩素系化合物を正確に検出し、呈色状態を適切に識別することができる形状であれば棒状であっても良く、その形状を制限するものではない。
【００６８】
また、本実施の形態では、基材７のおよそ１／２の面積を表示部６として構成している。しかし、この構成に限ったものではなく、これまで示したように、表示部６は塩素系化合物による呈色の様子を表すので、表示部６の面積が基材７の１／２よりも大きい場合には呈色の状態を容易に判別することができる。一方、基材７のうち表示部６でない部分は、塩素系化合物インジケータとして塩素系化合物の検出作業を行う際に、表示部６に手を触れずにハンドリングするための支持部として機能している。したがって、表示部６の面積が基材７の１／２よりも小さい場合には、塩素系化合物インジケータを容易にハンドリングすることができる。また、表示部６の面積が基材７の１／２である場合は、呈色の状態を容易に判別することと、容易にハンドリングすることを両立することができる。
【００６９】
なお、基材７の全面を表示部６として構成すると、塩素系化合物インジケータとして塩素系化合物の検出作業を行う際に、ハンドリングが困難となる。
【００７０】
本実施の形態の手順を説明する。
【００７１】
実施の形態１と同様に、図示しない密閉パッケージから塩素系化合物インジケータ５を取り出し、塩素系化合物の存在の有無を確認したい場所に置き、表示部６を空気に曝露させる。所定時間空気に曝露させた後、塩素系化合物インジケータ５を回収し、図示しない呈色試薬を表示部６に滴下する。
【００７２】
表示部６において一定時間呈色試薬を反応させた後、表示部６の呈色の有無を判定する。塩素系化合物と反応して赤色に発色する呈色試薬を用いる場合には、表示部６が赤色に呈色すれば空気中に塩素系化合物が含まれていたことがわかる。
【００７３】
（実施の形態３）
図３（ａ）、（ｂ）には、請求項８記載の塩素系化合物インジケータの概略図を示す。
【００７４】
図３（ａ）を用いて呈色用水８が密閉容器に保存された状態の概略図を示す。
【００７５】
図３（ｂ）を用いて密閉容器が開封され呈色用水８が放出された状態の概略図を示す。
【００７６】
本実施の形態の塩素系化合物インジケータ５は、実施の形態２で述べた、四角形状であり平板状の基材７の一部に表示部６を備えているという構成に加えて、開封可能な密閉容器８ａを備え、密閉容器８ａに封入した呈色用水８を備えている。
【００７７】
呈色用水８は塩素系化合物を含有しない水であることが望ましく、蒸留水、イオン交換水、超純水などが使用可能である。
【００７８】
図３（ａ）、（ｂ）を用いて本実施の形態を説明する。
【００７９】
本実施の形態の塩素系化合物インジケータ５は、基材の一部に備えられた密閉容器８ａを作業者の手指等で強くつまむことで、内部の圧力が高まることにより表示部６に近接した部分に設けられた吐出部８ｂが開封され、密閉容器８ａの内部に封入されていた呈色用水が吐出部８ｂから表示部６に向けて放出される。放出された呈色用水８は表示部６に浸透し、図示しない呈色試薬と結合塩素を反応させ、呈色させるものである。
【００８０】
なお、本実施の形態において、呈色用水８はパウチ加工によって形成された密閉容器８ａに封入されているものとしたが、呈色用水８を清浄状態で保存できる構成であればその他の構成にすることも可能であり、その形状を制限するものではない。
【００８１】
なお、本実施の形態において、呈色用水８は密閉容器８ａを強くつまむことで開封するものとしたが、密閉容器８ａの一部を開封できる構成であればよく、密閉容器８ａを折り曲げることで密閉容器８ａの一部を開封するという構成も可能であり、その形状を制限するものではない。
【００８２】
上記のように本実施の形態は、塩素系化合物インジケータ５と呈色用水８が一体となっているため、呈色用水８をスポイト等で滴下する必要が無く簡便に塩素系化合物を検出できる効果を得ることができる。加えて、例えば次亜塩素酸噴霧による除菌装置の効果検証を想定した場合には、医療現場、介護施設、保育施設など、様々な現場での使用が予想されるが、各現場において塩素系化合物を含有しない水を入手することは困難であると考えられるため、使用者が呈色用水８を別途準備する必要がなくなるという効果も得ることができる。
【００８３】
（実施の形態４）
図４には、請求項９記載の塩素系化合物検出キットの概略図を示す。
本実施の形態の塩素系化合物検出キット９は、塩素系化合物インジケータ５及び呈色反応液１０を備えている。
【００８４】
呈色反応液１０は、呈色用水８、呈色試薬１１及び脱酸素剤１２を含有している。
【００８５】
本実施の形態の手順を説明する。
【００８６】
実施の形態２と同様に、図示しない密閉パッケージから塩素系化合物インジケータ５を取り出し、塩素系化合物の存在の有無を確認したい場所に置き、表示部６を空気に曝露させる。所定時間空気に曝露させた後、塩素系化合物インジケータ５を回収し、呈色用水８、呈色試薬１１及び脱酸素剤１２を含有する呈色反応液１０の所定量を表示部６に滴下する。
【００８７】
表示部６において呈色反応液１０を一定時間反応させた後、表示部６の呈色の有無を判定する。塩素系化合物と反応して赤色に発色する呈色試薬を用いる場合には、表示部６が赤色に呈色すれば空気中に塩素系化合物が含まれていたことがわかる。
【００８８】
この際に、呈色試薬１１が結合塩素の酸化力によって反応し呈色するものである場合、呈色試薬が自己酸化によって過剰に呈色する可能性があるが、脱酸素剤１２によって自己酸化が抑制されると言う効果を得ることができる。
【００８９】
なお、本実施の形態において塩素系化合物検出キット９が備える呈色反応液１０は呈色用水８、呈色試薬１１及び脱酸素剤１２が混合状態で示されているが、呈色反応時にこれらが混合されていればよいので、その直前までは各々を別個に保存しておき、使用時に混合することも可能であり、その形状を制限するものではない。
【産業上の利用可能性】
【００９０】
塩素系化合物の検出、測定を目的とする測定手段としての活用が期待されるものである。
【符号の説明】
【００９１】
１    塩素系化合物検出用容器
１ａ    蓋
２    捕集用水
３    捕集剤
４    ｐＨ緩衝剤
５    塩素系化合物インジケータ
６    表示部
７    基材
８    呈色用水
８ａ    密閉容器
８ｂ    吐出部
９    塩素系化合物検出キット
１０    呈色反応液
１１    呈色試薬
１２    脱酸素剤
【図１】
2018054395.tif 000003
【図２】
2018054395.tif 000004
【図３】
2018054395.tif 000005
【図４】
2018054395.tif 000006